(57)【要約】【課題】ケーブルの接続数を減らすことができ、ケーブルの遮蔽金属層に誘起される電圧を低減することが可能な電力ケーブル線路を提供する。【解決手段】本発明に係る電力ケーブル線路１０は、遮蔽金属層を備える複数のケーブル１１が接続され、三相交流電力を伝送する電力ケーブル線路１０であって、複数のケーブル１１は、遮蔽金属層が絶縁される絶縁接続部１２によって接続され、絶縁接続部１２において遮蔽金属層がクロスボンド接続されており、基準電位を原点とし、一方の軸を実数軸、他方の軸を虚数軸とする複素平面上で、複数のケーブル１１における遮蔽金属層の誘起電圧ベクトルが描く図形の外接円の中心が、原点と略一致するように複数のケーブル１１の長さが設定されていることを特徴とする。【選択図】図２
2013251984.tif 000002
【特許請求の範囲】
【請求項１】
遮蔽金属層を備える複数のケーブルが接続され、三相交流電力を伝送する電力ケーブル線路であって、
前記複数のケーブルは、前記遮蔽金属層が絶縁される絶縁接続部によって接続され、前記絶縁接続部において前記遮蔽金属層がクロスボンド接続されており、
基準電位を原点とし、一方の軸を実数軸、他方の軸を虚数軸とする複素平面上で、前記複数のケーブルにおける前記遮蔽金属層の誘起電圧ベクトルが描く図形の外接円の中心が、前記原点と略一致するように前記複数のケーブルの長さがそれぞれ設定されていることを特徴とする電力ケーブル線路。
【請求項２】
前記複数のケーブルの長さの比が、略１：２：３であることを特徴とする請求項１に記載の電力ケーブル線路。
【請求項３】
前記ケーブルの遮蔽金属層が基準電位と接続される普通接続部を有し、
前記普通接続部に接続される前記ケーブルの長さを基準長としたときに、前記基準長のケーブルに接続されるケーブルの長さを前記基準長の略２倍とし、その他のケーブルの長さを前記基準長の略３倍とすることを特徴とする請求項１又は請求項２に記載の電力ケーブル線路。
【請求項４】
前記ケーブルの遮蔽金属層が基準電位と接続される普通接続部を複数有し、
２つの前記普通接続部の間の区間において、前記遮蔽金属層に誘起される誘起電圧ベクトルの和が略０となるように、前記複数のケーブルの長さが設定されていることを特徴とする請求項１に記載の電力ケーブル線路。
【発明の詳細な説明】
【技術分野】
【０００１】
本発明は、電力ケーブル線路に関し、特にケーブルの接続数を減らすことができ、ケーブルの遮蔽金属層に誘起される電圧を低減することが可能な電力ケーブル線路に関する。
【背景技術】
【０００２】
例えば、発電所から変電所の間、変電所から変電所の間など、長距離の地点の間の三相交流電力伝送線路をケーブルで構築する場合、何本ものケーブルを接続部で接続して長距離の電力ケーブル線路を構築する。
【０００３】
一般的に、このような長距離の電力ケーブル線路では、ケーブルの遮蔽金属層に誘起される電圧を抑制し、遮蔽金属層が形成する回路の回路損失を低減するため、クロスボンド接続が行われる。
【０００４】
従来の一般的なクロスボンド接続では、図８（ａ）に示すように、電力ケーブル線路５０のほぼ同じ長さＬのケーブル５１の３区間を一つのクロスボンド区間とする。図８（ａ）の例では、３つのクロスボンド区間が図示されている。そして、このクロスボンド区間内の２箇所の絶縁接続部５２において隣り合う区間の異なる相のケーブル５１の遮蔽金属層を接続するようにしている。
【０００５】
従来の電力ケーブル線路５０では、普通接続部５３において３相のケーブル５１の遮蔽金属層が導通線５５によって基準電位に接続（接地）されており、普通接続部５３の間がクロスボンド区間となっている。そして、一つのクロスボンド区間の２箇所の絶縁接続部５２において３相のケーブル５１がクロスボンド線５４でクロスボンド接続され、ケーブル５１の遮蔽金属層が点線で示されるように接続される。
【０００６】
ケーブル５１の中心導体を流れる電流により、図８（ｂ）に示すように、ケーブル５１の遮蔽金属層には電圧が誘起される。しかし、クロスボンド区間内の３区間のケーブル５１が同じ長さで、３相のケーブル５１の遮蔽金属層のリアクタンスが同じ場合には、それぞれの区間に生じる誘起電圧ベクトルの和は、クロスボンド区間全体では０になる。
【０００７】
ケーブル５１の遮蔽金属層の誘起電圧に上限Ｖが定められている場合には、従来の電力ケーブル線路５０の各区間の遮蔽金属層の誘起電圧ベクトルは、複素平面上で図９に示すような軌跡をたどる。このように、クロスボンド区間全体に生じる誘起電圧ベクトルの和は０になるため、遮蔽金属層には誘起電圧による電流は流れず、この部分における損失が生じない。このため、ケーブル５１の許容電流を制限する必要がない。
【０００８】
なお、遮蔽金属層のリアクタンスは、３相のケーブルが正三角形配置の場合には各相で同値となるが、それ以外の配置の場合は各相で異なる値となる。しかし、その場合でも、遮蔽金属層がクロスボンド接続される接続位置でケーブル５１の各相の配置を転換する捻架を行うことで、クロスボンド区間全体としてリアクタンスの不一致による誘起電圧のアンバランスは解消される。
【０００９】
上記のことは、非特許文献１にも記載されており、電力ケーブル線路の遮蔽金属層の接続方式として一般的に知られているものである。また、非特許文献１には、クロスボンド接続の応用例として、４区間に分割したクロスボンド接続について示されている。この例では、分割された４区間のうち、両端の２区間のケーブルの長さの和を他の区間のケーブルの長さと同じにすることで、それぞれの区間に生じる誘起電圧ベクトルの和をクロスボンド区間全体で０とする。なお、この例の場合、クロスボンド区間の途中の誘起電圧の絶対値の最大値が、通常の等分割の３区間クロスボンド接続の場合の８６．６％に低減される。
【００１０】
また、特許文献１では、クロスボンド接続の各区間のケーブルの長さの組み合わせの選択肢を広げるようにしている。この例では、ある区間とその３つ先（あるいは３の倍数先）の区間同士のケーブルの合計長を同じにすることで、各区間に生じる誘起電圧のベクトル和をクロスボンド区間全体で０としている。
【先行技術文献】
【特許文献】
【００１１】
【特許文献１】特開昭６０-２３４４１６号公報
【非特許文献１】ANSI/IEEE Standard 575-1988,”IEEEGuide for the Application of Sheath-Bonding Methods for Single-Conductor Cablesand the Calculation of Induced Voltages and Currents in Cable Sheaths”,p.14-31
【発明の概要】
【発明が解決しようとする課題】
【００１２】
遮蔽金属層のクロスボンド接続は、それぞれの区間に生じる誘起電圧ベクトルの和をクロスボンド区間全体で０とすることで、遮蔽金属層における回路損失を生じさせないものである。しかし、クロスボンド区間の途中の地点では、遮蔽金属層にある程度の誘起電圧が発生する。
【００１３】
この誘起電圧は、ケーブルの長さに比例するため、誘起電圧の上限が設計上定められている場合には、一区間のケーブルの長さは自ずと制限され、それだけケーブル接続数が多く必要となる。ケーブル接続数が多いと、電力ケーブル線路の構築に掛かる工期が長くなり、経済的ではない。
【００１４】
非特許文献１に示されている４分割クロスボンドでは、通常の等分割の３区間クロスボンド接続の場合の誘起電圧の８６．６％に低減される。このため、同じ誘起電圧制限値内でケーブルの区間長を、通常の等分割の３区間クロスボンド接続の１１５％（＝１／０．８６６）まで延伸化することができるが、ケーブルの接続数を低減することはできない。
【００１５】
また、特許文献１に示されるクロスボンド接続方法では、各区間のケーブルの長さの組み合わせの選択肢は増えるが、この方法を用いて各区間のケーブルの長さを延伸化することはできず、ケーブルの接続数を低減することはできない。
【００１６】
本発明は、前述した問題点に鑑みてなされたものであり、ケーブルの接続数を減らすことができ、ケーブルの遮蔽金属層に誘起される電圧を低減することが可能な電力ケーブル線路を提供することを目的とする。
【課題を解決するための手段】
【００１７】
前述した目的を達成するために、第１の発明は、遮蔽金属層を備える複数のケーブルが接続され、三相交流電力を伝送する電力ケーブル線路であって、前記複数のケーブルは、前記遮蔽金属層が絶縁される絶縁接続部によって接続され、前記絶縁接続部において前記遮蔽金属層がクロスボンド接続されており、基準電位を原点とし、一方の軸を実数軸、他方の軸を虚数軸とする複素平面上で、前記複数のケーブルにおける前記遮蔽金属層の誘起電圧ベクトルが描く図形の外接円の中心が、前記原点と略一致するように前記複数のケーブルの長さがそれぞれ設定されていることを特徴とする電力ケーブル線路である。
【００１８】
このような構成により、一区間のケーブルを長くすることができ、ケーブルの接続数を減らすことができる。また、長さが同じケーブルでは、遮蔽金属層に誘起される電圧を低減することができる。
【００１９】
また、前記複数のケーブルの長さの比が、略１：２：３であるようにしてもよい。このような構成により、一区間のケーブルの長さを効率的に延伸化することができ、ケーブルの接続数を減らすことができる。
【００２０】
また、前記ケーブルの遮蔽金属層が基準電位と接続される普通接続部を有し、前記普通接続部に接続される前記ケーブルの長さを基準長としたときに、前記基準長のケーブルに接続されるケーブルの長さを前記基準長の略２倍とし、その他のケーブルの長さを前記基準長の略３倍とするようにしてもよい。このような構成により、一区間のケーブルの長さを効率的に延伸化することができ、ケーブルの接続数を減らすことができる。
【００２１】
また、前記ケーブルの遮蔽金属層が基準電位と接続される普通接続部を複数有し、２つの前記普通接続部の間の区間において、前記遮蔽金属層に誘起される誘起電圧ベクトルの和が略０となるように、前記複数のケーブルの長さが設定されるようにしてもよい。このような構成により、ケーブルの遮蔽金属層に誘起電圧による電流が流れず、遮蔽金属層の回路損失を無くすことができる。
【発明の効果】
【００２２】
本発明により、ケーブルの接続数を減らすことができ、ケーブルの遮蔽金属層に誘起される電圧を低減することが可能な電力ケーブル線路を提供することができる。
【図面の簡単な説明】
【００２３】
【図１】第１の実施の形態に係る電力ケーブル線路及びそのケーブルの遮蔽金属層に誘起される電圧を示した図である。
【図２】図１（ａ）に示す電力ケーブル線路の遮蔽金属層における誘起電圧のベクトル合成図である。
【図３】第２の実施の形態に係る電力ケーブル線路及びそのケーブルの遮蔽金属層に誘起される電圧を示した図である。
【図４】図３（ａ）に示す電力ケーブル線路の遮蔽金属層における誘起電圧のベクトル合成図である。
【図５】第３の実施の形態に係る電力ケーブル線路及びそのケーブルの遮蔽金属層に誘起される電圧を示した図である。
【図６】図５（ａ）に示す電力ケーブル線路の遮蔽金属層における誘起電圧のベクトル合成図である。
【図７】従来のクロスボンド接続を用いた電力ケーブル線路と第１の実施の形態に係る電力ケーブル線路のケーブルの区間数を比較した表である。
【図８】従来のクロスボンド接続を用いた電力ケーブル線路及びそのケーブルの遮蔽金属層に誘起される電圧を示した図である。
【図９】図８（ａ）に示す電力ケーブル線路の遮蔽金属層における誘起電圧のベクトル合成図である。
【発明を実施するための形態】
【００２４】
以下、図面に基づいて、本発明の実施の形態を詳細に説明する。
【００２５】
＜第１の実施の形態＞
図１（ａ）に示すように、本実施の形態に係る電力ケーブル線路１０は、ケーブル１１、絶縁接続部１２、普通接続部１３、クロスボンド線１４、導通線１５等を備えている。
【００２６】
本実施の形態に係る電力ケーブル線路１０は、三相交流電力を伝送するためのものであり、複数のケーブル１１が接続された線路を３相（３本）有している。ケーブル１１は、例えば、高圧用架橋ポリエチレン絶縁ビニルシースケーブルであり、中心導体に流れる電流が発生する電界を遮蔽するための遮蔽金属層（金属シースともいう）を備えている。
【００２７】
各相は、複数のケーブル１１を絶縁接続部１２及び普通接続部１３によって接続することで構成されている。なお、図１（ａ）の例では、左端と右端の普通接続部１３の間の区間をクロスボンド区間としている。普通接続部１３では、隣り合うケーブル１１の中心導体及び遮蔽金属層が電気的に接続されている。また、この普通接続部１３では、３相のケーブル１１の遮蔽金属層が導通線１５によって基準電位に接続（接地）されている。
【００２８】
クロスボンド区間内のケーブル１１は、絶縁接続部１２によって接続されている。絶縁接続部１２では、隣り合うケーブル１１の中心導体が電気的に接続されているが、遮蔽金属層は絶縁されている。この絶縁接続部１２では、３相のケーブル１１がクロスボンド線１４によってクロスボンド接続されている。クロスボンド接続とは、隣り合う区間（例えば、図１（ａ）のａとｂ）の異なる相のケーブル１１の遮蔽金属層をクロスボンド線１４によって電気的に接続するものである。これにより、異なる相のケーブル１１の遮蔽金属層が図１（ａ）の点線のように接続される。なお、普通接続部１３を絶縁接続部１２と同様のもので構成し、絶縁部の両側を導線等で接続して普通接続部１３としてもよい。
【００２９】
本実施の形態では、普通接続部１３に接続される区間ａのケーブル１１の長さを、従来のクロスボンド接続を用いた電力ケーブル線路５０のケーブル５１の長さＬの１／（√３）倍とする。また、区間ａのケーブル１１に接続される区間ｂのケーブル１１の長さを、Ｌの２／（√３）倍とする。さらに、区間ｃ、ｄ、ｅ、ｆのケーブル１１の長さを、Ｌの（√３）倍とする。
【００３０】
また、普通接続部１３に接続される区間ｈのケーブル１１の長さをＬの１／（√３）倍、区間ｇのケーブル１１の長さをＬの２／（√３）倍とする。これにより、区間ａと区間ｈのケーブルの長さを基準長として、各区間のケーブル１１の長さの比が、区間ａ(又はｈ)、区間ｂ(又はｇ)、区間ｃ(ｄ、ｅ又はｆ)について、略１：２：３となる
【００３１】
本実施の形態に係る電力ケーブル線路１０の各区間の遮蔽金属層の誘起電圧ベクトルは、複素平面上で図２に示すような軌跡をたどる。しかし、基準電位（原点）からの電位差は、いずれの地点においても誘起電圧の制限値Ｖを超えることはない。
【００３２】
図２では、基準電位を原点とし、横軸を実数軸、縦軸を虚数軸とする複素平面上で、各区間の遮蔽金属層の誘起電圧ベクトルが描く図形の外接円（図２の点線）の中心が、基準電位である原点と略一致するようになっている。なお、ここで、誘起電圧ベクトルが描く図形の外接円とは、図２に示す誘起電圧ベクトルａ〜ｈの最大図形の外接円のことであり、図２の例では、誘起電圧ベクトルｄ、ｅ、ｆが形成する正三角形の外接円である。
【００３３】
また、図１（ａ）に示す２つの普通接続部１３の間の区間（クロスボンド区間）における誘起電圧ベクトルａ〜ｈの和は、図２に示すように略０となる。これにより、従来のクロスボンド接続を用いた電力ケーブル線路と同様に、クロスボンド区間において遮蔽金属層に誘起電圧による電流が流れるのを抑制して、遮蔽金属層の回路損失を無くすことができる。
【００３４】
図１（ｂ）に示すように、本実施の形態に係る電力ケーブル線路１０の各ケーブル１１の遮蔽金属層における誘起電圧は、図８（ｂ）に示した従来のクロスボンド接続の場合と同様に誘起電圧の制限値Ｖを超えることはない。
【００３５】
このように、本実施の形態では、複数のケーブル１１の長さを適切に設定することにより、一区間当たりのケーブルの長さを、従来のクロスボンド接続を用いた電力ケーブル線路の（√３）倍まで延伸化することが可能である。
【００３６】
また、図７に示すように、従来のクロスボンド接続を用いた電力ケーブル線路と本実施の形態に係る電力ケーブル線路１０の区間数、すなわちケーブル１１の接続数を比較すると、本実施の形態に係る電力ケーブル線路１０では、ケーブル１１の接続数を大幅に減らすことができる。このような効果は、電力ケーブル線路１０の長さが長くなるほど大きく現れる。
なお、図７中の「誘起電圧」の欄の数値は、各区間における誘起電圧の最大値を、従来のクロスボンド接続した電力ケーブル線路の誘起電圧の最大値を１として相対値で表している。
また、図７中の短区間、中区間、長区間はそれぞれ例えば図１中の区間ａとｈ、区間ｂとｇ、区間ｃ〜ｅに示されるようなケーブル長さの分類に相当する。
【００３７】
以上のように、本実施の形態に係る電力ケーブル線路１０によれば、一区間のケーブル１１の長さを延伸化することができ、ケーブル１１の接続数を減らすことができる。また、ケーブル１１の遮蔽金属層に誘起電圧による電流が流れるのを抑制して、遮蔽金属層の回路損失を無くすことができる。
【００３８】
＜第２の実施の形態＞
本実施の形態では、電力ケーブル線路の全長が予め決まっており、途中の区間のケーブルの長さを、遮蔽金属層の誘起電圧の制限値いっぱいとなる長さとした場合について説明する。なお、第１の実施の形態に係る電力ケーブル線路１０と同一の構成要素については同一の符号を付し、説明を省略する。
【００３９】
図３（ａ）に示す電力ケーブル線路１０ａでは、区間ａから区間ｅまでのケーブル１１の長さは、第１の実施の形態に係る電力ケーブル線路１０のケーブル１１の長さと同じである。しかし、図３（ａ）に示す電力ケーブル線路１０ａでは、片側の３区間ｆ、ｇ、ｈの長さがそれぞれＸ、Ｙ、Ｚとなっており、第１の実施の形態に係る電力ケーブル線路１０のケーブル１１の長さと異なっている。
【００４０】
本実施の形態に係る電力ケーブル線路１０ａの各区間の遮蔽金属層の誘起電圧ベクトルは、複素平面上で図４に示すような軌跡をたどる。しかし、基準電位（原点）からの電位差は、いずれの地点においても誘起電圧の制限値Ｖを超えることはない。また、第１の実施の形態に係る電力ケーブル線路１０の場合と同様に、各区間の遮蔽金属層の誘起電圧ベクトルが描く図形の外接円の中心が、基準電位である原点と略一致するようになっている。
【００４１】
また、図３（ａ）に示す２つの普通接続部１３の間の区間（クロスボンド区間）における誘起電圧ベクトルａ〜ｈの和は、図４に示すように略０となるようになっている。このように、図３（ａ）に示す電力ケーブル線路１０ａでは、片側の３区間ｆ、ｇ、ｈの長さＸ、Ｙ、Ｚをそれぞれ適切な長さに設定することにより、クロスボンド区間全体での誘起電圧ベクトルの和を略０としている。また、図３（ｂ）に示すように、本実施の形態に係る電力ケーブル線路１０の各ケーブル１１の遮蔽金属層における誘起電圧は、誘起電圧の制限値Ｖを超えることはなく、２つの普通接続部１３において０となっている。
【００４２】
以上のように、本実施の形態に係る電力ケーブル線路１０ａによれば、電力ケーブル線路１０ａの全長が予め決まっていても、片側の３区間の長さを適切に設定することで、誘起電圧ベクトルの和を略０とすることができる。その他の効果については、第１の実施の形態に係る電力ケーブル線路１０と同様である。
【００４３】
＜第３の実施の形態＞
本実施の形態では、遮蔽金属層に誘起される電圧を下げた電力ケーブル線路について説明する。なお、第１の実施の形態に係る電力ケーブル線路１０と同一の構成要素については同一の符号を付し、説明を省略する。
【００４４】
図５（ａ）に示す電力ケーブル線路１０ｂでは、一区間のケーブル１１の最大長が、図８（ａ）に示す従来の電力ケーブル線路５０のケーブル５１の長さＬに制限されている。そして、このＬを基準にして、普通接続部１３に接続される区間ａと区間ｋのケーブル１１の長さをＬ／３とする。また、区間ａと区間ｋのケーブル１１に接続される区間ｂと区間ｊのケーブル１１の長さを２Ｌ／３とする。さらに、区間ｃ〜ｉのケーブル１１の長さをＬとする。
【００４５】
本実施の形態に係る電力ケーブル線路１０ｂの各区間の遮蔽金属層の誘起電圧ベクトルは、複素平面上で図６に示すような軌跡をたどる。また、図５（ｂ）に示すように、本実施の形態に係る電力ケーブル線路１０ｂの各ケーブル１１の遮蔽金属層における誘起電圧は、誘起電圧の制限値Ｖの１／（√３）倍に低下している。なお、本実施の形態に係る電力ケーブル線路１０ｂでも、図６に示すように各区間の遮蔽金属層の誘起電圧ベクトルが描く図形の外接円の中心が、基準電位である原点と略一致するようになっている。また、クロスボンド区間における誘起電圧ベクトルａ〜ｋの和は、図６に示すように略０となるようになっている。
【００４６】
このように、本実施の形態のようにケーブル１１の長さを設定することで、ケーブル１１の遮蔽金属層に誘起される電圧の最大値を、従来の電力ケーブル線路５０の５７．７％（＝１／（√３））まで低減することができる。
【００４７】
このような誘起電圧の低減効果を利用して、各相のケーブル１１の離隔距離を大きくすることができ、電力ケーブル線路１０ｂの設計上の自由度を増すことができる。これは、ケーブル１１の遮蔽金属層の誘起電圧が、各相のケーブル１１の離隔距離に応じて大きくなるためである。
【００４８】
例えば、地中に直接埋設され、布設された電力ケーブル線路や、地中管路内に布設された電力ケーブル線路の場合には、土壌による熱伝導のため各相のケーブル１１の距離が許容電流に大きく影響する。このため、各相のケーブル１１の距離を離せば、ケーブル１１の許容電流を所定値以上にすることができるが、遮蔽金属層の誘起電圧が制限値いっぱいであるため、それができないということがある。しかし、そのような場合に、本実施の形態のようにケーブル１１の長さを設定することで、誘起電圧の制限値の範囲内で各相のケーブル１１の距離を離して、ケーブル１１の許容電流を増加させることができる。
【００４９】
以上のように、本実施の形態に係る電力ケーブル線路１０ｂによれば、ケーブル１１の遮蔽金属層に誘起される電圧を大幅に低減することができる。また、このような誘起電圧の低減効果を利用して、電力ケーブル線路１０ｂの設計上の自由度を増すことができる。その他の効果については、第１の実施の形態に係る電力ケーブル線路１０と同様である。
【００５０】
なお、以上の実施の形態では、簡略化のため各相のケーブル１１の遮蔽金属層におけるリアクタンスが同一であるものとして説明した。これは、各区間の金属遮蔽層における誘起電圧の単位長さ当たりの大きさが同じで、各相の金属遮蔽層の誘起電圧の位相差が１２０°である場合（ケーブル１１が正三角形配置の場合）を想定したものである。しかし、これ以外のケーブル配置の場合であっても、遮蔽金属層がクロスボンド接続される接続位置で各相のケーブル１１の配置を転換する捻架を行うことで、クロスボンド区間全体としてリアクタンスの不一致は解消される。このため、任意のケーブル配置において、本発明は適用可能である。
【００５１】
以上、添付図面を参照しながら、本発明に係る電力ケーブル線路の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【００５２】
例えば、図２、図４、図６等において、各区間の遮蔽金属層の誘起電圧ベクトルが描く最大図形が正三角形であり、この正三角形の外接円の中心が基準電位である原点と略一致するようにしている。しかし、外接円の中心が原点と略一致するものであれば、外接円に接する最大図形の形は任意である。すなわち、複数のケーブル１１の長さは、様々な組み合わせとすることができる。
【符号の説明】
【００５３】
１０、１０ａ、１ｂ………電力ケーブル線路
１１………ケーブル
１２………絶縁接続部
１３………普通接続部
１４………クロスボンド線
１５………導通線
【図１】
2013251984.tif 000003
【図２】
2013251984.tif 000004
【図３】
2013251984.tif 000005
【図４】
2013251984.tif 000006
【図５】
2013251984.tif 000007
【図６】
2013251984.tif 000008
【図７】
2013251984.tif 000009
【図８】
2013251984.tif 000010
【図９】
2013251984.tif 000011